(57)【要約】【課題】文字スーパーを見やすくできる文字スーパー合成装置を提供する。【解決手段】文字スーパー合成装置１は、入力映像から判定用信号を検出する映像検出部１１と、判定用信号に基づいて、この入力映像がＨＤＲ方式又はＳＤＲ方式であるかを判定する映像判定部１２と、映像判定部１２の判定結果に基づいて、文字スーパーの映像レベルを決定する映像レベル決定部１３と、映像レベルに従って、文字スーパーの提示を文字スーパー提示部１６に指令する文字スーパー映像レベル指令部１４と、入力映像に合成する文字スーパーを生成する文字スーパー生成部１５と、映像レベル決定部１３が決定した映像レベルで文字スーパーを提示する文字スーパー提示部１６と、文字スーパーを入力映像に合成する文字スーパー合成部１７と、を備える。【選択図】図１
2018117281.tif 000002
【特許請求の範囲】
【請求項１】
ＨＤＲ方式又はＳＤＲ方式の入力映像に文字スーパーを合成する文字スーパー合成装置であって、
前記入力映像から、当該入力映像がＨＤＲ方式又はＳＤＲ方式であるかを判定するための判定用信号を検出する映像検出部と、
前記映像検出部で検出された判定用信号に基づいて、前記入力映像がＨＤＲ方式又はＳＤＲ方式であるかを判定する映像判定部と、
前記入力映像がＨＤＲ方式の場合、前記文字スーパーを、相対ビデオレベルの５０％から１００％までの間で予め設定されたＨＤＲ用文字スーパー映像レベルで提示すると決定し、前記入力映像がＳＤＲ方式の場合、前記文字スーパーを、ＳＤＲ方式の最大レベルに基づいて予め設定されたＳＤＲ用文字スーパー映像レベルで提示すると決定する映像レベル決定部と、
前記映像レベル決定部が決定した映像レベルで前記文字スーパーを前記入力映像に合成する文字スーパー合成部と、
を備えることを特徴とする文字スーパー合成装置。
【請求項２】
前記映像レベル決定部は、前記ＨＤＲ用文字スーパー映像レベルが、前記相対ビデオレベルの７０％から１００％までの間で予め設定されたことを特徴とする請求項１に記載の文字スーパー合成装置。
【請求項３】
前記映像レベル決定部は、前記ＳＤＲ用文字スーパー映像レベルが、前記入力映像の最大レベル以上でかつ前記相対ビデオレベルの５０％から１００％までの間で予め設定されたことを特徴とする請求項１又は請求項２に記載の文字スーパー合成装置。
【請求項４】
前記映像検出部は、前記判定用信号として、前記入力映像の先頭から予め設定された区間における前記相対ビデオレベルの最大値を検出し、
前記映像判定部は、前記映像検出部が検出した最大値の閾値判定により、前記入力映像がＨＤＲ方式又はＳＤＲ方式であるかを判定することを特徴とする請求項１から請求項３の何れか一項に記載の文字スーパー合成装置。
【請求項５】
前記映像レベル決定部は、前記入力映像がＳＤＲ映像を含むＨＤＲ映像の場合、前記ＨＤＲ用文字スーパー映像レベルが、前記相対ビデオレベルの７０％から１００％までの間で予め設定されたことを特徴とする請求項１から請求項４の何れか一項に記載の文字スーパー合成装置。
【請求項６】
コンピュータを、請求項１から請求項５の何れか一項に記載の文字スーパー合成装置として機能させるための文字スーパー合成プログラム。
【発明の詳細な説明】
【技術分野】
【０００１】
本発明は、文字スーパー合成装置及びそのプログラムに関する。
【背景技術】
【０００２】
現行のテレビジョン放送では、補助的に情報を伝えるために、文字が映像にスーパーインポーズされている。以下、スーパーインポーズを「スーパー」、映像にスーパーされた文字を「文字スーパー」と記載する。
【０００３】
これまでのテレビジョン放送では、ＣＲＴ（Cathode Ray Tube）や液晶型テレビなどのテレビジョン受像機において、ある一定の明暗差の標準ダイナミックレンジ（ＳＤＲ：Standard Dynamic Range）方式で表現されている。また、放送局におけるテレビジョン用映像制作においては、映像編集用スタジオなどで映像を制作する際には、一般に、ＩＴＵ−Ｒ勧告ＢＴ.２０３５に則り、観視環境におけるモニタの背景の明るさは、モニタに映る映像の標準白レベル（最大明るさ）の１０％±２％に相当する１０（８〜１２）ｃｄ／ｍ２の環境とする。そして、制作用モニタの明るさの基準として、相対ビデオレベル（ＩＲＥ値）で０％から１００％(又は１０９％)のうち、標準白レベル１００％を明るさ１００ｃｄ／ｍ２に設定することとしている。つまり、放送用映像は、相対ビデオレベル０％〜１００％の間で制作される。そして、家庭に放送された際には、テレビジョン受像機側で表現できる輝度特性や、視聴する環境(一般にはスタジオ制作環境より明るい)、視聴者の好みに応じて、最大輝度をおおよそ１〜４倍(４００ｃｄ／ｍ２)程度に、コントラスト、明るさなどの値を調整して視聴するケースが多い。このとき、文字スーパーは、無彩色の場合、最大輝度のビデオレベルを標準白レベル１００％に設定して放送されることが一般である。
【０００４】
近年、テレビジョン受像機側などのディスプレイの最大輝度性能の向上や、撮像素子で獲得できる明暗幅性能の向上などの技術進歩を背景に、明暗差を拡大し表現の幅を拡げ、より撮影対象（シーン）を忠実に表現する高ダイナミックレンジ（ＨＤＲ：High Dynamic Range）方式による映像表示技術が適用されつつある。ディスプレイの最大輝度は、液晶型モニタで７００ｃｄ／ｍ２以上が表現できるようになりつつある（コントラスト比１０００：１以上）。近年出てきている自発光型表示デバイスである有機ＥＬ素子（ＯＬＥＤ）によるディスプレイにおいては、コントラスト比が１００万：１を超え、最大輝度も５００ｃｄ／ｍ２から１０００ｃｄ／ｍ２と、明暗幅を表現できる範囲が拡大してきている。
【０００５】
これまでのＳＤＲ方式における映像の光電気変換関数（ＯＥＴＦ：Opto-Electrical Transfer Function）は、映像レベル（電気信号、相対値）をＥ、シーンの輝度を電気信号に変換したレベル（相対値）をＬとした場合、下記の式（１）で表される。なお、式（１）では、ガンマγ値は２．２又は２．４である（小数点第２位以下四捨五入）。
【０００６】
【数１】
2018117281.tif 000003
【０００７】
また、ＨＤＲ方式の一つ、ハイブリッド・ログ・ガンマ（ＨＬＧ：Hybrid Log-Gamma）方式において、ＯＥＴＦは、映像レベル（電気信号、相対値）をＥ´とした場合、例えば、下記の式（２）で表される（非特許文献１，２参照）。
【０００８】
【数２】
2018117281.tif 000004
【０００９】
ここで、式（２）において、上式を式（２−ａ）とし、下式を式（２−ｂ）とする。ｒは、式（２−ａ）のべき乗関数と式（２−ｂ）の関数の境界点の映像レベルであり、基準白レベルを表す。また、定数ａ，ｂ，ｃは、ＨＬＧ方式で予め規定された定数である。式（２）のグラフを図６に示す。この図６では、縦軸が映像レベルＥ、横軸がシーン輝度Ｌを表す。例えば、境界点のシーン輝度をＬ＝１とするとき、式（２−ａ）により境界点の映像レベルはｒ＝Ｅ´となる。図６に示すように、式（２−ａ）と式（２−ｂ）が境界点を境に連続性を持たなければならない。なお、境界点の映像レベル（基準白レベル）ｒは、０．５の他に０．６３、０．７や０．７５のような別の値になる可能性もある。このとき、式（２）の定数ａ，ｂ，ｃは、連続性を持つように値が変わることもある。
【００１０】
式（２−ａ）のべき乗関数が式（１）に類似することから、相対ビデオレベルが５０％以下のとき、ＳＤＲ方式とＨＤＲ方式で互換性が高い映像表現が可能である。また、式（２−ｂ）の関数は、相対ビデオレベルが５０％を超えるとき、映像の明るい部分（ハイライト）を表現できることを表す。
【００１１】
このため、テレビジョン放送において、これまでのＳＤＲ映像による放送からＨＤＲ映像による放送に移行する場合、ＨＬＧ方式を適用した場合において、相対ビデオレベル０〜５０％をＳＤＲ映像と互換性のある表現領域とし、この領域とハイライト領域を組み合わせた相対ビデオレベル０〜１００％をＨＤＲ映像の表現領域とすることができる。
【００１２】
従って、これまでのＳＤＲ方式で制作された放送番組を、ＨＤＲ方式による映像で限りなく忠実に放送で表現しようとした場合、ＨＤＲ方式で収録された映像は、相対ビデオレベル０〜１００％で表現されることが想定される。ＳＤＲ方式で収録された映像は、相対ビデオレベル０〜５０（又は６３、７０、７５）％で表現されることが想定される。このような相対ビデオレベル０〜１００％で表現される映像に対して、文字スーパーは、これまで、最大レベル１００％（あるいはそれより最大でも２０％低い範囲のレベル）でスーパーしていた。ここで、相対ビデオレベル０〜５０（又は６３、７０、７５）％で表現されるＳＤＲ方式で制作された放送番組に文字をスーパーする場合においては、ＳＤＲ方式の最大輝度に相当する相対ビデオレベル５０（又は６３、７０、７５）％で表現することになる。
【先行技術文献】
【特許文献】
【００１３】
【非特許文献１】一般社団法人  電波産業会（ＡＲＩＢ：Association of Radio Industries and Business）規格ＳＴＤ−Ｂ６７  Ｖｅｒ１．０
【非特許文献２】国際電気通信連合  無線通信部門（ＩＴＵ−Ｒ：International Telecommunication Union Radiocommunications Sector）Recommendation BT.2100-0 (07/2016)
【発明の概要】
【発明が解決しようとする課題】
【００１４】
しかし、ＨＤＲ映像とＳＤＲ映像とが混在する場合、文字スーパーを相対ビデオレベル５０％で表現すると、文字スーパーを従来のＳＤＲ方式どおり無彩色白色で見えやすく表現しているつもりが、文字スーパーが暗く、見えにくくなるという問題が生じる。さらに、ＨＤＲ方式及びＳＤＲ方式での映像レベルが異なるために、一定の映像レベルで文字スーパーを合成（重畳）した場合、文字スーパーが映像の明るさとかけ離れており、視聴者が違和感を感じるという問題も生ずる。
【００１５】
そこで、本発明は、ＨＤＲ映像とＳＤＲ映像とが混在している場合でも文字スーパーを見やすくできる文字スーパー合成装置及びそのプログラムを提供することを課題とする。
【課題を解決するための手段】
【００１６】
前記した課題に鑑みて、本発明に係る文字スーパー合成装置は、ＨＤＲ方式又はＳＤＲ方式の入力映像に文字スーパーを合成する文字スーパー合成装置であって、映像検出部と、映像判定部と、映像レベル決定部と、文字スーパー合成部と、を備える構成とした。
【００１７】
かかる構成によれば、文字スーパー合成装置は、映像検出部によって、入力映像から、入力映像がＨＤＲ方式又はＳＤＲ方式であるかを判定するための判定用信号を検出する。
また、文字スーパー合成装置は、映像判定部によって、映像検出部で検出された判定用信号に基づいて、入力映像がＨＤＲ方式又はＳＤＲ方式であるかを判定する。
【００１８】
また、文字スーパー合成装置は、映像レベル決定部によって、入力映像がＨＤＲ方式の場合、文字スーパーを、相対ビデオレベルの５０％から１００％までの間で予め設定されたＨＤＲ用文字スーパー映像レベルで提示すると決定する。
さらに、文字スーパー合成装置は、映像レベル決定部によって、入力映像がＳＤＲ方式の場合、文字スーパーを、ＳＤＲ方式の最大レベルに基づいて予め設定されたＳＤＲ用文字スーパー映像レベルで提示すると決定する。
その後、文字スーパー合成装置は、文字スーパー合成部によって、映像レベル決定部が決定した映像レベルで文字スーパーを入力映像に合成する。
【００１９】
このように、文字スーパー合成装置は、文字スーパーの映像レベルを一定とせずに、ＨＤＲ方式又はＳＤＲ方式といった入力映像に応じた明るさで文字スーパーを合成するため、文字スーパーを見やすくすることができる。
【発明の効果】
【００２０】
本発明に係る文字スーパー合成装置は、ＨＤＲ方式又はＳＤＲ方式に応じた明るさで文字スーパーを合成するため、文字スーパーを見やすくすることができる。
【図面の簡単な説明】
【００２１】
【図１】本発明の実施形態に係る文字スーパー合成装置の構成を示すブロック図である。
【図２】図１の文字スーパー合成装置による文字スーパーの合成を説明する説明図である。
【図３】図１の文字スーパー合成装置の動作を示すフローチャートである。
【図４】本発明の実施例において、ＨＤＲ評価映像の全平均輝度レベルが５４％の場合における評価結果を表したヒストグラムである。
【図５】本発明の実施例において、ＨＤＲ評価映像の全平均輝度レベルが４０％の場合における評価結果を表したヒストグラムである。
【図６】ハイブリッド・ログ・ガンマ方式のＯＥＴＦを示すグラフである。
【発明を実施するための形態】
【００２２】
［文字スーパー合成装置の構成］
以下、本発明の実施形態について、適宜図面を参照しながら詳細に説明する。
図１を参照し、本発明の実施形態に係る文字スーパー合成装置１の構成について説明する。
【００２３】
文字スーパー合成装置１は、ＨＤＲ方式又はＳＤＲ方式の入力映像に文字スーパーを合成するものである。本実施形態では、文字スーパー合成装置１は、放送番組の制作に用いられることとする。
【００２４】
図１に示すように、文字スーパー合成装置１は、映像入力部１０と、映像検出部１１と、映像判定部１２と、映像レベル決定部１３と、文字スーパー映像レベル指令部１４と、文字スーパー生成部１５と、文字スーパー提示部１６と、文字スーパー合成部１７と、を備える。
【００２５】
映像入力部１０は、外部（例えば、カメラ、記録装置、映像編集装置又は映像送出装置）から入力映像が入力されるものである。この入力映像は、ＨＤＲ映像とＳＤＲ映像とが混在した映像である。例えば、入力映像には、ダイナミックレンジがＨＬＧ方式、ＰＱ(Perceptual Quantization)方式等のＨＤＲ映像と、従来のＳＤＲ映像とが含まれている。また、映像信号は、８Ｋ（横７６８０×縦４３２０画素）、４Ｋ（横４３２０×縦２１６０画素）、２Ｋ（横１９２０×縦１０８０画素）等、解像度が特に制限されない。そして、映像入力部１０は、この入力映像を映像検出部１１及び文字スーパー合成部１７に出力する。
【００２６】
映像検出部１１は、映像入力部１０より入力された入力映像から、この入力映像がＨＤＲ方式又はＳＤＲ方式であるかを判定するための判定用信号を検出するものである。そして、映像検出部１１は、検出した判定用信号を映像判定部１２に出力する。
なお、映像検出部１１の詳細は、後記する。
【００２７】
映像判定部１２は、映像検出部１１から入力された判定用信号に基づいて、この入力映像がＨＤＲ方式又はＳＤＲ方式であるかを判定するものである。ここで、映像判定部１２は、入力映像がＨＤＲ方式の場合、映像レベルの決定指令をＨＤＲ文字スーパー映像レベル決定部１３１に出力する。一方、映像判定部１２は、入力映像がＳＤＲ方式の場合、映像レベルの決定指令をＳＤＲ文字スーパー映像レベル決定部１３３に出力する。以下、３つの判定方法を具体的に説明する。
【００２８】
＜第１例：補助データで判定する手法＞
この第１例は、入力映像に重畳された補助データを判定用信号として検出し、判定を行う手法である。
【００２９】
補助データには、ＨＬＧ方式、ＰＱ方式、ＳＤＲ方式のそれぞれで固有のＩＤ（IDentifier）が格納されている。例えば、入力映像が、ＳＭＰＴＥ２９２、ＩＴＵ−Ｒ勧告ＢＴ．１１２０、ＡＲＩＢ標準規格ＢＴＡ  Ｓ−００４で提案されているＨＤＴＶ信号のシリアルデジタルインタフェース（ＨＤ−ＳＤＩ）に対応する場合を考える。この場合、補助データは、ＳＭＰＴＥ２９１で提案されている補助信号の重畳方式におけるユーザデータワード領域に追加された固有のＩＤとなる。
【００３０】
また、入力映像が、４Ｋ，８Ｋ等の超高精細映像の場合を考える。この場合、補助データは、ＡＲＩＢ標準規格ＳＴＤ−Ｂ５８で提案されている超高精細映像を伝送するインターフェースなどの補助信号領域に追加された固有のＩＤとなる。
【００３１】
この第１例では、映像検出部１１は、判定用信号として、入力映像から補助データを検出する。そして、映像判定部１２は、映像検出部１１が検出した補助データを参照し、入力映像が、ＨＤＲ方式（ＨＬＧ方式、ＰＱ方式）又はＳＤＲ方式であるかを判定する。
【００３２】
＜第２例：マッピングのレベルで判定する手法＞
この第２例は、入力映像がマッピングされた相対ビデオレベル（ＩＲＥ値）を判定用信号として検出し、判定を行う手法である。ここで、ＳＤＲ映像が、ＨＬＧ方式のＯＥＴＦに設定したディスプレイで互換性を保たれた状態で提示されることとする。
【００３３】
前記した第１例のような補助データが入力映像に付加されていない場合も考えられる。この場合、入力映像がマッピングされている相対ビデオレベルに応じて、ＨＤＲ方式（ＨＬＧ方式、ＰＱ方式）又はＳＤＲ方式であるかを判定する。
【００３４】
前記した式（２）のように、ＳＤＲ映像は、相対ビデオレベル０％〜ｒ％でマッピングされている(但し、ｒは、５０％、６３％、７０％又は７５％)。このため、映像検出部１１は、判定用信号として、入力映像の先頭から予め設定された区間（例えば、１０秒）を再生して、相対ビデオレベルの最大値（最大レベル）を検出する。そして、映像判定部１２は、映像検出部１１が検出した最大レベルの閾値判定により、入力映像がＨＤＲ方式又はＳＤＲ方式であるかを判定する。例えば、映像判定部１２は、閾値を予め８０％に設定し、最大レベルが８０％以上の場合にＨＤＲ方式と判定し、最大レベルが８０％未満の場合にＳＤＲ方式と判定する。
【００３５】
なお、ＨＤＲ映像にＳＤＲ映像が挿入された映像（例えば、ピクチャーインピクチャー）を考える。この場合、映像判定部１２は、その映像の最大レベルがＨＤＲ方式と同様になるので、その映像をＨＤＲ映像と判定する。
【００３６】
＜第３例：クレジット情報で判定する手法＞
この第３例は、入力映像の先頭より前に、入力映像の映像フォーマットを示すクレジット情報が付加されている場合、このクレジット情報を判定用信号として検出し、判定を行う手法である。なお、クレジット情報とは、最大白を表す画像領域（相対ビデオレベルが１００％）が含まれるカラーバー等の映像基準信号のことである。
【００３７】
この第３例は、ＨＬＧによるＨＤＲ方式での伝送に限定した場合で、予め、ＨＤＲ映像は最大白１００％である式（２−ａ）と式（２−ｂ）の組み合わせで表される映像信号が用意され、ＳＤＲ映像は互換性のある式（２−ｂ）で表される最大白５０％である映像信号があらかじめ用意されて、それぞれが入力された場合に限って適用できる手法である。従来の最大白レベル１００％で用意されている、例えば式（１）式で表わされるＳＤＲ映像が入力される場合には、第３例を適用しない。
【００３８】
ここで、映像検出部１１は、判定用信号として、クレジット情報を検出する。そして、映像判定部１２は、映像検出部１１がクレジット情報を検出できたか否かにより、入力映像がＨＤＲ方式又はＳＤＲ方式であるかを判定する。例えば、映像判定部１２は、クレジット情報中の最大白が１００％であると検出できた場合にＨＤＲ方式と判定し、クレジット情報中の最大白がｒ％（例えば、５０％）と検出できた場合にＳＤＲ方式と判定する。
【００３９】
なお、入力映像が放送番組単位、シーン単位又はカット単位で制作されるので、これらの単位でＨＤＲ方式又はＳＤＲ方式が切り替わる。従って、第１例〜第３例では、フレーム単位のように頻繁にＨＤＲ方式又はＳＤＲ方式が切り替わることがない。
また、映像検出部１１及び映像判定部１２が第１例〜第３例の何れを用いるか予め設定しておく。
【００４０】
文字スーパー合成装置１の構成について、説明を続ける。
映像レベル決定部１３は、映像判定部１２の判定結果に基づいて、文字スーパーの映像レベルを決定するものであり、ＨＤＲ文字スーパー映像レベル決定部１３１と、ＳＤＲ文字スーパー映像レベル決定部１３３と、を備える。
【００４１】
ＨＤＲ文字スーパー映像レベル決定部１３１は、映像判定部１２から映像レベルの決定指令が入力された場合、文字スーパーを所定のＨＤＲ用文字スーパー映像レベルで提示すると決定するものである。そして、ＨＤＲ文字スーパー映像レベル決定部１３１は、決定した映像レベルを文字スーパー映像レベル指令部１４に出力する。
【００４２】
例えば、映像制作者が、相対ビデオレベルの５０％（中間値）から１００％（最大値）までの任意の値でＨＤＲ用文字スーパー映像レベルを予め設定しておく。このとき、ＨＤＲ用文字スーパー映像レベルは、後記する理由により、相対ビデオレベルの７０％から１００％までの間で予め設定することが好ましい（実施例参照）。
【００４３】
ＳＤＲ文字スーパー映像レベル決定部１３３は、映像判定部１２から映像レベルの決定指令が入力された場合、文字スーパーを所定のＳＤＲ用文字スーパー映像レベルで提示すると決定するものである。そして、ＳＤＲ文字スーパー映像レベル決定部１３３は、決定した映像レベルを文字スーパー映像レベル指令部１４に出力する。
【００４４】
例えば、映像制作者が、ＳＤＲ方式の最大レベルに基づいてＳＤＲ用文字スーパー映像レベルを予め設定しておく。このとき、ＳＤＲ用文字スーパー映像レベルは、ＳＤＲ方式の相対ビデオレベル（入力映像の最大レベル）以上、かつ、相対ビデオレベルの５０％から１００％までの間で予め設定してもよい。
【００４５】
文字スーパー映像レベル指令部１４は、映像レベル決定部１３から入力された映像レベルに従って、文字スーパーの提示を文字スーパー提示部１６に指令するものである。
【００４６】
文字スーパー生成部１５は、外部（例えば、映像制作者）の指示に従って、入力映像に合成する文字スーパーを生成するものである。ここで、文字スーパー生成部１５は、生成する文字スーパーの位置、フォントサイズ、色、装飾（影、文字の背景）などを任意に設定できる。そして、文字スーパー生成部１５は、生成した文字スーパーを文字スーパー提示部１６に出力する。
【００４７】
文字スーパー提示部１６は、文字スーパー生成部１５から入力された文字スーパーを、映像レベル決定部１３が決定した映像レベルで提示（出力）するものである。すなわち、文字スーパー提示部１６は、映像レベル決定部１３が決定した映像レベルの文字スーパーを文字スーパー合成部１７に出力する。
【００４８】
文字スーパー合成部１７は、文字スーパー提示部１６から入力された文字スーパーを、映像入力部１０からの入力映像に合成するものである。例えば、文字スーパー合成部１７は、図２に示すように、ニュース番組（入力映像）に「気象情報：○○地方に大雪注意報」という文字スーパーを合成する。このとき、文字スーパーは、ニュース番組の映像レベルに応じた明るさとなる。
その後、文字スーパー合成部１７は、文字スーパーが合成された入力映像を外部（例えば、放送送出装置）に出力する。
【００４９】
［文字スーパー合成装置の動作］
図３を参照し、文字スーパー合成装置１の動作について説明する（適宜図１参照）。
図３に示すように、映像入力部１０は、外部から入力映像が入力される（ステップＳ１）。
映像検出部１１は、ステップＳ１で入力された入力映像から、この入力映像がＨＤＲ方式又はＳＤＲ方式であるかを判定するための判定用信号を検出する（ステップＳ２）。
【００５０】
映像判定部１２は、ステップＳ２で検出された判定用信号に基づいて、この入力映像がＨＤＲ方式又はＳＤＲ方式であるかを判定する（ステップＳ３）。
入力映像がＨＤＲ方式の場合（ステップＳ３でＨＤＲ）、文字スーパー合成装置１は、ステップＳ４の処理に進む。
入力映像がＳＤＲ方式の場合（ステップＳ３でＳＤＲ）、文字スーパー合成装置１は、ステップＳ５の処理に進む。
【００５１】
映像レベル決定部１３（ＨＤＲ文字スーパー映像レベル決定部１３１）は、文字スーパーをＨＤＲ用文字スーパー映像レベルで提示すると決定する（ステップＳ４）。
映像レベル決定部１３（ＳＤＲ文字スーパー映像レベル決定部１３３）は、文字スーパーをＳＤＲ用文字スーパー映像レベルで提示すると決定する（ステップＳ５）。
【００５２】
文字スーパー映像レベル指令部１４は、ステップＳ４又はステップＳ５で決定した映像レベルに従って、文字スーパーの提示を文字スーパー提示部１６に指令する（ステップＳ６）。
文字スーパー生成部１５は、入力映像に合成する文字スーパーを生成する（ステップＳ７）。
【００５３】
文字スーパー提示部１６は、ステップＳ７で生成した文字スーパーを、ステップＳ４又はステップＳ５で決定した映像レベルで提示する（ステップＳ８）。
文字スーパー合成部１７は、ステップＳ８で提示された文字スーパーを、ステップＳ１で入力された入力映像に合成する（ステップＳ９）。
以上のように、文字スーパー合成装置１は、ＨＤＲ方式又はＳＤＲ方式といった入力映像に応じた明るさで文字スーパーを合成するため、文字スーパーが見やすくなる。
【００５４】
以上、本発明の各実施形態を詳述してきたが、本発明は前記した各実施形態に限られるものではなく、本発明の要旨を逸脱しない範囲の設計変更等も含まれる。
本発明は、放送制作用機器のインターフェースだけでなく、家庭へ放送伝搬される放送映像信号及び補助信号への重畳においても、同様に適用される。つまり、本発明は、テレビジョン受像機にも適用することができる。
【００５５】
前記した実施形態では、文字スーパー合成装置を独立したハードウェアとして説明したが、本発明は、これに限定されない。例えば、コンピュータが備えるＣＰＵ、メモリ、ハードディスク等のハードウェア資源を、文字スーパー合成装置として協調動作させる文字スーパー合成装置プログラムで実現することもできる。このプログラムは、通信回線を介して配布してもよく、ＣＤ−ＲＯＭやフラッシュメモリ等の記憶媒体に書き込んで配布してもよい。
【００５６】
（実施例）
まず、ＨＬＧ方式による式（２）で表されるＯＥＴＦで制作した映像に文字スーパーを合成した。このとき、文字スーパーは、所定のＩＲＥ値（５０％，６０％，７０％，７５％，８０％，８５％，９０％，１００％）で段階的に設定し、無彩色で装飾がない単純な文字フォントとした。また、文字スーパーは、後記する評価用映像モニタの画面下端から約７%〜１３%の位置に文字情報として認識できるよう合成した。以下、この映像をＨＤＲ評価映像とする。
【００５７】
また、ＨＤＲ評価映像を提示するために、式（２）の逆関数であるＨＬＧ方式のＥＯＴＦを設定した評価用映像モニタを用意した。このとき、評価用映像モニタは、最大輝度１０００ｃｄ／ｍ２の有機ＥＬ表示デバイスを用いており、コントラスト比が１００万対１以上であった。
【００５８】
視聴環境は、背景がグレー一色で薄明りの周囲環境とし、このとき背景の輝度が５ｃｄ／ｍ２とした。視聴距離は、画面の高さＨに対し、３Ｈの距離とした。そして、１４人の放送技術業務経験を有する映像専門家が評価者として、前記したＨＤＲ評価映像を評価用映像モニタで提示した際に、好ましいと感じる文字スーパーの相対ビデオレベルの範囲（１つに限らず複数可）で回答した。
【００５９】
評価結果を図４及び図５に示す。図４は、ＨＤＲ評価映像の全平均輝度レベルが５４％の場合において、各相対ビデオレベルで提示した文字スーパーに対して、好ましいと回答した評価者の割合をヒストグラムで表している。また、図５は、ＨＤＲ評価映像の全平均輝度レベルを４０％に設定した場合において、各相対ビデオレベルで提示した文字スーパーに対して、好ましいと回答した評価者の割合をヒストグラムで表している。
なお、図４及び図５では、縦軸が好ましいと回答した評価者の割合であり、横軸が相対ビデオレベルである。
【００６０】
図４では７０％未満、図５では６０％未満の相対ビデオレベルで提示した文字スーパーは、好ましいと感じる評価者がいないという評価結果となった。その理由としては、ＳＤＲ映像の放送番組で一般的な白色の文字で提示したつもりの文字スーパーが、灰色に見えてしまい、好ましいと回答しなかったためと考えられる。
【００６１】
また、ＳＤＲ方式では、文字スーパーを提示するときの相対ビデオレベルとして、最大レベル（１００％）が一般的に使われている。一方、ＨＤＲ評価映像では、評価者が好ましいと感じる最大レベルの最頻値は、最大値と中間値（５０％）の間の値に分布する。その理由としては、評価用映像モニタでは、最大レベルが眩しく感じられたためと考えられる。
【００６２】
また、参考例として、背景を相対ビデオレベル０％の黒色一色とし、相対ビデオレベル５０％の文字スーパーを合成した映像を用意した。そして、この映像を評価用映像モニタで提示した際、白色に見えるか、灰色に見えるかの評価を同一視聴環境及び同一評価者で実施した。
【００６３】
参考例の評価結果は、１００％の評価者が白色に見えると回答したのに対し、灰色に見えると回答した評価者が０％である。つまり、この参考例では、相対ビデオレベル５０％の文字スーパーは、全評価者が白色に見えると回答したことになる。その理由としては、ＨＤＲ映像でなく、かつ、映像レベルが低い場合は、相対ビデオレベル５０％でも文字スーパーとして従来どおりに見えたためと考えられる。さらに、背景が文字スーパーの明るさを超えない場合、文字スーパーは、式（２）において互換性あるＳＤＲ方式の最大値５０％以上に設定した場合、評価者が違和感を感じることがなく、好ましくないと回答しなかったと考えられる。
【符号の説明】
【００６４】
１  文字スーパー合成装置
１０  映像入力部
１１  映像検出部
１２  映像判定部
１３  映像レベル決定部
１４  文字スーパー映像レベル指令部
１５  文字スーパー生成部
１６  文字スーパー提示部
１７  文字スーパー合成部
【図１】
2018117281.tif 000005
【図２】
2018117281.tif 000006
【図３】
2018117281.tif 000007
【図４】
2018117281.tif 000008
【図５】
2018117281.tif 000009
【図６】
2018117281.tif 000010